【手続補正書】
【提出日】平成20年4月24日(2008.4.24)
【手続補正１】
【補正対象書類名】特許請求の範囲
【補正対象項目名】全文
【補正方法】変更
【補正の内容】
【特許請求の範囲】
【請求項１】
それぞれがパーティション要素暗号鍵と関連付けられたパーティション要素に区分されたトピックの集合のうちのいずれかに関して公開された情報を、これらのトピックについて許可された購読者装置に配信するマルチキャスト・ホストであって、前記パーティション要素のそれぞれは、前記トピックの集合の互いに素な真部分集合であり、
トピックに関する情報を受ける手段と、
前記トピックに対応するパーティション要素を判定する手段と、
前記パーティション要素に関連するパーティション要素暗号鍵を取り出す手段と、
前記取り出されたパーティション要素暗号鍵を用いて前記情報を暗号化する手段と、
前記情報を前記購読者装置に配信する手段と、
を含む、マルチキャスト・ホスト。
【請求項２】
それぞれの前記トピックの集合の互いに素な真部分集合が、アクセス制御リストに従って定義される、請求項１に記載のマルチキャスト・ホスト。
【請求項３】
前記アクセス制御リストが、複数の役割の定義を含む、請求項２に記載のマルチキャスト・ホスト。
【請求項４】
前記複数の役割のそれぞれは、前記トピックの集合の部分集合である、請求項３に記載のマルチキャスト・ホスト。
【請求項５】
それぞれの前記トピックの集合の互いに素な真部分集合が、前記複数の役割の集合の差および交差のうちの１つになるように定義される、請求項４に記載のマルチキャスト・ホスト。
【請求項６】
前記パーティション要素暗号鍵を前記購読者装置にセキュアに配信する手段をさらに含む、請求項１に記載のマルチキャスト・ホスト。
【請求項７】
前記パーティション要素暗号鍵が、前記パーティション要素暗号鍵を暗号化することによってセキュアに配信される、請求項６に記載のマルチキャスト・ホスト。
【請求項８】
前記パーティション要素暗号鍵が、論理鍵が前記購読者装置に対応する論理鍵階層構造を使用して暗号化される、請求項７に記載のマルチキャスト・ホスト。
【請求項９】
前記パーティション要素暗号鍵に対応するパーティション要素復号鍵を前記購読者装置にセキュアに配信する手段をさらに含む、請求項１に記載のマルチキャスト・ホスト。
【請求項１０】
前記パーティション要素復号鍵は、前記パーティション要素復号鍵を暗号化することによってセキュアに配信される、請求項９に記載のマルチキャスト・ホスト。
【請求項１１】
前記パーティション要素復号鍵は、論理鍵が前記許可された購読者装置に対応する論理鍵階層構造を使用して暗号化される、請求項１０に記載のマルチキャスト・ホスト。
【請求項１２】
パーティション要素内のトピックに対する新規購読を受け取る手段と、パーティション要素に関する新しいパーティション要素暗号鍵を生成する手段とをさらに含む、請求項１に記載のマルチキャスト・ホスト。
【請求項１３】
前記新しいパーティション要素暗号鍵に対応する新しいパーティション要素復号鍵を生成する手段をさらに含む、請求項１２に記載のマルチキャスト・ホスト。
【請求項１４】
パーティション要素内のトピックに対する取り消された購読を受け取る手段と、パーティション要素に関する新しいパーティション要素暗号鍵を生成する手段とをさらに含む、請求項１に記載のマルチキャスト・ホスト。
【請求項１５】
前記新しいパーティション要素暗号鍵に対応する新しいパーティション要素暗号化復号鍵を生成する手段をさらに含む、請求項１４に記載のマルチキャスト・ホスト。
【請求項１６】
請求項１に記載のマルチキャスト・ホストと、前記マルチキャスト・ホストによって配信される情報を受けるマルチキャスト購読者装置とを含む、マルチキャスト・システム。
【請求項１７】
複数のトピックのうちのいずれか１つに関する情報を公開する公開装置をさらに含む、請求項１６に記載のマルチキャスト・システム。
【請求項１８】
それぞれがパーティション要素暗号鍵と関連付けられたパーティション要素に区分されたトピックの集合のうちのいずれかに関して公開された情報を、これらのトピックについて許可された購読者装置に配信する方法であって、前記パーティション要素のそれぞれは、前記トピックの集合の互いに素な真部分集合であり、
トピックに関する情報を受けるステップと、
前記トピックに対応するパーティション要素を判定するステップと、
前記パーティション要素に関連するパーティション要素暗号鍵を取り出すステップと、
前記取り出されたパーティション要素暗号鍵を用いて前記情報を暗号化するステップと、
前記情報を前記購読者装置に配信するステップと、
を含む、方法。
【請求項１９】
それぞれがパーティション要素暗号化鍵をそれに関連付けられたパーティション要素に区分されたトピックの集合のうちのいずれかに関して公開された情報を、これらのトピックについて許可された購読者装置に配信するコンピュータ・プログラムであって、前記パーティション要素のそれぞれは、前記トピックの集合の互いに素な真部分集合であり、
トピックに関係する情報を受けるステップと、
前記トピックに関するパーティション要素を判定するステップと、
前記パーティション要素に関連するパーティション要素暗号鍵を取り出すステップと、
前記取り出されたパーティション要素暗号鍵を用いて前記情報を暗号化するステップと、
前記情報を前記購読者装置に配信するステップと、
をデータ処理システムに実行させる、コンピュータ・プログラム。
【請求項２０】
それぞれにトピック暗号化鍵が関連付けられた複数のトピックのうちのいずれかに関して公開された情報を、これらのトピックの購読者装置に配信するマルチキャスト・ホストであって、
トピックに関係する情報を受け取る手段と、
前記トピックを購読する１以上のユーザを表現する購読者データにアクセスする手段と、
前記トピックに関連するトピック暗号化鍵を取り出す手段と、
前記取り出されたトピック暗号化鍵を用いて前記情報を暗号化する手段と、
前記情報を前記１以上のユーザに配信する手段と、
を含む、マルチキャスト・ホスト。
【請求項２１】
前記トピック暗号化鍵を前記購読者装置にセキュアに配信する手段をさらに含む、請求項２０に記載のマルチキャスト・ホスト。
【請求項２２】
前記トピック鍵が、前記トピック暗号化鍵を暗号化することによってセキュアに配信される、請求項２１に記載のマルチキャスト・ホスト。
【請求項２３】
前記トピック暗号化鍵が、論理鍵が前記ユーザに対応する論理鍵階層構造を使用して暗号化される、請求項２２に記載のマルチキャスト・ホスト。
【請求項２４】
トピック暗号化解除鍵を前記購読者装置にセキュアに配信する手段をさらに含み、前記トピック暗号化解除鍵が、前記トピック暗号化鍵に対応する、請求項２０に記載のマルチキャスト・ホスト。
【請求項２５】
前記トピック暗号化解除鍵が、前記トピック暗号化解除鍵を暗号化することによってセキュアに配信される、請求項２４に記載のマルチキャスト・ホスト。
【請求項２６】
前記トピック暗号化解除鍵が、論理鍵が前記１以上のユーザに対応する論理鍵階層構造を使用して暗号化される、請求項２５に記載のマルチキャスト・ホスト。
【請求項２７】
トピックに対する新しい購読を受け取る手段と、前記トピックに関する新しいトピック暗号化鍵を生成する手段とをさらに含む、請求項２０に記載のマルチキャスト・ホスト。
【請求項２８】
前記新しいトピック暗号化鍵に対応する新しいトピック暗号化解除鍵を生成する手段をさらに含む、請求項２７に記載のマルチキャスト・ホスト。
【請求項２９】
新しいトピックに関する情報を受け取る手段と、前記新しいトピックに関するトピック暗号化鍵を生成する手段とをさらに含む、請求項２０に記載のマルチキャスト・ホスト。
【請求項３０】
前記新しいトピックに関する前記トピック暗号化鍵に対応するトピック暗号化解除鍵を生成する手段をさらに含む、請求項２９に記載のマルチキャスト・ホスト。
【請求項３１】
トピックに対する取り消された購読を受け取る手段と、前記トピックに関する新しいトピック暗号化鍵を生成する手段とをさらに含む、請求項２０に記載のマルチキャスト・ホスト。
【請求項３２】
前記新しいトピック暗号化鍵に対応する新しいトピック暗号化解除鍵を生成する手段をさらに含む、請求項３１に記載のマルチキャスト・ホスト。
【請求項３３】
請求項２０に記載のマルチキャスト・ホストと、前記マルチキャスト・ホストによって配信される情報を受け取る１以上のマルチキャスト購読者装置とを含む、マルチキャスト・システム。
【請求項３４】
複数のトピックのうちのいずれかに関する情報を公開する１以上の公開装置をさらに含む、請求項３３に記載のマルチキャスト・システム。
【請求項３５】
それぞれがトピック暗号化鍵をそれに関連付けられた複数のトピックのうちのいずれかに関して公開された情報を、これらのトピックの購読者装置に配信する方法であって、
トピックに関係する情報を受け取るステップと、
前記トピックを購読する１以上のユーザを表現する購読者データにアクセスするステップと、
前記トピックに関連するトピック暗号化鍵を取り出すステップと、
前記取り出されたトピック暗号化鍵を用いて前記情報を暗号化するステップと、
前記情報を前記１以上のユーザに配信するステップと、
を含む、方法。
【請求項３６】
それぞれがトピック暗号化鍵をそれに関連付けられた複数のトピックのうちのいずれかに関して公開された情報をこれらのトピックの購読者装置に配信するコンピュータ・プログラムであって、
トピックに関係する情報を受け取るステップと、
前記トピックを購読する１つまたは複数のユーザを表す購読者装置データにアクセスするステップと、
前記トピックに関連するトピック暗号化鍵を取り出すステップと、
前記取り出されたトピック暗号化鍵を用いて前記情報を暗号化するステップと、
前記情報を前記１以上のユーザに配信するステップと、
をデータ処理システムに実行させる、コンピュータ・プログラム。